(57)【要約】【課題】特に、耳の損傷のいかなるリスクも与えることなく、ほこり、水分、耳垢を耳から容易に除去できるという意味で、公知の掃除綿棒を改良すること。【解決手段】少なくとも一端部に吸収材から成る肥厚部を有する軸部を具備する掃除綿棒であって、前記軸部は、前記肥厚部を設けた前記端部付近に凹部を含み、前記吸収材は、前記凹部の開口部の入り口を残すように前記凹部の先端部を被覆し、前記軸部は、少なくとも２つの軸セグメントを有し、そして、前記肥厚部の方に向いた前記軸セグメントは、前記肥厚部からそむく前記軸セグメントよりも、より容易に変形することを特徴とする掃除綿棒。【選択図】図１
2009542309.tif 000002
【特許請求の範囲】
【請求項１】
少なくとも一端部に吸収材から成る肥厚部を有する軸部を具備する掃除綿棒であって、
前記軸部は、前記肥厚部を設けた前記端部付近に凹部を含み、
前記吸収材は、前記凹部の開口部の入り口を残すように、前記凹部の先端部を被覆し、
前記軸部は、少なくとも２つの軸セグメントを有し、
そして、前記肥厚部の方に向いた前記軸セグメントは、前記肥厚部からそむく前記軸セグメントよりも、より容易に変形することを特徴とする掃除綿棒。
【請求項２】
前記吸収材が、前記凹部の前記先端部を超えて、かつ前記凹部の内部にわたって設けられていることを特徴とする請求項１に記載の掃除綿棒。
【請求項３】
前記吸収材は、綿、ウール、紙、及びプラスチックから成るグループから選ばれた少なくとも１つの材料を含むことを特徴とする請求項１または請求項２に記載の掃除綿棒。
【請求項４】
前記軸部は、前記肥厚部を具備する前記軸部の前記端部に前記凹部を形成する内部チャンネルを具備することを特徴とする請求項１ないし請求項３のいずれかに記載の掃除綿棒。
【請求項５】
前記軸セグメントは、前記肥厚部の方に向いた前記軸セグメントと、前記肥厚部の方からそむく前記軸セグメントとで異なる部材で作られており、また、前記肥厚部の方に向いた前記軸セグメントの部材は、前記肥厚部の方からそむく前記軸セグメントの部材よりもより容易に変形することを特徴とする請求項１ないし請求項４のいずれかに記載の掃除綿棒。
【請求項６】
前記軸セグメントは互いに接着されていることを特徴とする請求項５に記載の掃除綿棒。
【請求項７】
前記肥厚部の方に向いた前記軸セグメントは、弱くなった部分を具備することを特徴とする請求項１ないし請求項６のいずれかに記載の掃除綿棒。
【請求項８】
前記弱くなった部分は、ミシン目または切り込みによって形成されていることを特徴とする請求項７に記載の掃除綿棒。
【請求項９】
前記軸部は、出発部材が細長い切れで形成されており、また前記細長い切れは平らな出発部材から好ましくは巻き上げることによって使用時の位置に変えることを特徴とする請求項７または請求項８に記載の掃除綿棒。
【請求項１０】
前記凹部は切断側面に設けられていることを特徴とする請求項１ないし請求項９のいずれかに記載の掃除綿棒。
【請求項１１】
前記軸部は、該軸部が体腔の深くに挿入されることを防止するために機能する停止面を有することを特徴とする請求項１ないし請求項１０のいずれかに記載の掃除綿棒。
【請求項１２】
前記停止面は前記軸部に取り外し可能に連結されていることを特徴とする請求項１１に記載の掃除綿棒。
【請求項１３】
前記軸部は前記凹部と前記吸収材の前記肥厚部とを両端部付近に具備し、前記吸収材は、前記凹部の開口部の入り口を残すように前記凹部の前記先端部を被覆することを特徴とする請求項１ないし請求項１２のいずれかに記載の掃除綿棒。
【請求項１４】
前記吸収材は前記先端部を超えて、かつ、前記凹部の内部にわたって設けられていることを特徴とする請求項１３に記載の掃除綿棒。
【発明の詳細な説明】
【技術分野】
【０００１】
本発明は、少なくとも一端に吸収材から成る肥厚部を備える軸部を含む掃除綿棒に関する。
【背景技術】
【０００２】
このような肥厚部を備える掃除綿棒として、特に耳を掃除するため、すなわち、耳から特に耳垢を取り除くために用いられるものが一般的に知られている。実際に公知の掃除綿棒は、常に耳から耳垢を容易に除去することができないという欠点を有するように思える。すなわち、何人かの人は、尖ったものを用いて耳から耳垢をかき出そうと試みて、これにより外耳道に損傷を与えるというような、全ての危険な結果を引き起こすように思える。
【発明の概要】
【発明が解決しようとする課題】
【０００３】
本発明の目的は、特に、耳の損傷のいかなるリスクも与えることなく、ほこり(dirt)、水分(moisture)、耳垢を耳から容易に除去できるという意味で、公知の掃除綿棒を改良することである。
【課題を解決するための手段】
【０００４】
上記目的を達成するために、前に述べた種類の掃除綿棒は、軸部が、肥厚部を備える端部の近くに凹部を含み、また、凹部の開口部の入り口を残すように凹部の先端部を吸収材で被覆し、また軸部は、少なくとも２つの軸セグメントを有し、肥厚部の方に向いた軸セグメントは、肥厚部からそむく軸セグメントよりも、より容易に変形するということを特徴とする。
【０００５】
好ましくは、吸収材が先端部、そして凹部の内部にわたり設けられている。本発明は、特に、本発明に係る掃除綿棒を外耳道に押し込み、そして掃除綿棒を回転させることを交互に行うことによって、耳垢が効果的に凹部に移動され、その上、凹部の先端が吸収材で被覆されているという点で、外耳道の損傷が防止されるという知覚を基礎にしている。吸収材は、特に、外耳道内に存在する水分を吸収することができる。さらに、軸部のセグメント構造は、例えば外耳道などに損傷を引き起こすいかなるリスクもなく、前記掃除を安全な方法で行われることに役立つ。
【０００６】
注目すべきは、「より容易に変形する」という文言が、危険な荷重が掃除綿棒にかかった場合、肥厚部の方に向いた軸セグメントは、前記肥厚部からそむく軸セグメントよりもより早く変形するという意味に、特に理解されるということである。これは、より硬くないもので前記セグメントを作ることによって、しかし場合によってはまた、より強固ではないがより硬いもので前記セグメントを作ることによって得られる。それゆえ、肥厚部の方に向いた軸セグメントは、危険な限界荷重がかかったとき、それにもかかわらず、より早く変形し、高い局部荷重がかかることを防止することができる。
【０００７】
本発明に係る掃除綿棒は、低コストで、また簡単な生産手段を使用することによって生産することができる。
【０００８】
本発明は、耳を掃除するために掃除綿棒に限定されることなく、例えば口腔などの他の体腔を掃除するため、例えばメークアップに利用する化粧用途、あるいは例えば傷口を洗浄したり、軟膏を塗る医療用途などのような他の用途にまで適用範囲は広がるということが知られている。
【０００９】
本発明に係る掃除綿棒の好ましい実施形態においては、吸収材は、綿、ウール、紙、及びプラスチックから成るグループから選択された少なくとも１つの材料を含む。
【００１０】
本発明に係る掃除綿棒の別の好ましい実施形態においては、軸部は、肥厚部を備える軸部の端部に凹部を形成する内部チャンネルを具備している。チャンネルは、原則としては、円形状、または角のある形状のような断面形状を有する。従って、チャンネルは、必ずしもチューブ形状あるいは円筒形状とは限らない。
【００１１】
本発明に係る掃除綿棒の好ましい実施形態では、２つの軸セグメントは異なる部材で形成し、肥厚部の方に向いた軸セグメントの部材が、肥厚部からそむく軸セグメントの部材よりもより容易に変形するようにする。好ましくは、軸セグメントは互いに接着されている。他の好ましい変形では、前記軸セグメントが互いに熱で結合されている。好ましくは、軸セグメントはチューブ状のセグメントである。
【００１２】
軸部が一つの出発物質で作られていると仮定して、軸部のセグメンテーションはまた、局部的に軸部に、例えば化学的処理あるいは物理的処理などの処理を施すことによって実現されるということが知られている。たとえば、紙／段ボールの出発物質の細長い切れは、端部領域の付近に、ミシン目、切り込みなどのような弱くなった部分を備える。従って、互いに強度の点で異なる軸セグメントは、細長い切れを軸のように巻いた後に形成される。ミシン目の形状は、例えば、変形態をチェックするために用いられるかもしれない。他の好ましい変形では、軸部のセグメンテーションが、（軸部の縦軸を基準にして特殊な角度であろうとなかろうと）凹部の先端部付近に切り込みを有する軸部を具備することによって実現されることができる。従って、粗いゴムの束として構成される軸部の前記端部はよりしなやかになる。
【００１３】
本発明に係る掃除綿棒の他の好ましい実施形態では、凹部は切断側面(cutting  profile)を含む。切断側面は、原則的には、任意の断面形状を有するけれども、好ましくは細糸状で、凹部、あるいは凹部の先端部付近の開口部を超えて伸びている切断側面の細糸状のものを有し、さらに、細糸状のものは、例えば接着剤によって、あるいは局部的に穴や切り目を設けることによって、前記先端部に、あるいは先端部付近に取り付けられるであろう。この結果、特定の切断動作あるいは剥離動作を実行することによって、特に耳垢を凹部に移動させることができるので、これにもかかわらず安全な方法で行うことができる。
【００１４】
本発明に係る掃除綿棒の好ましい実施形態では、軸部は、軸部が体腔の深くに挿入されることを防止するために機能する停止面（a  stop  surface）を含む。この停止面は、特に取り外し可能に、好ましくはスナップ連結によって、軸部に連結されている。このようにして停止面は、容易に軸部にはめたり、取り外したりすることができる。
【００１５】
本発明に係る掃除綿棒の他の好ましい実施形態では、軸部は、両端部に、凹部と吸収材の肥厚部とを具備し、この吸収材は、凹部の開口部の入り口を残すように凹部の先端部を被覆する。好ましくは、吸収材は先端部を超えて、かつ、凹部の内部にわたって設けられる。すなわち、軸部は、使用をより容易にする２つの深さがある部分を具備する。
【００１６】
ドイツ特許ＤＥ１９６  ３８  ９１３号は、のこぎり状の断面形状を有するプラスチック材の肥厚部を具備する掃除綿棒で、のこぎり形状の鋭角を使用することによって、耳垢が外耳道から取り除かれることを論じているが、のこぎり形状の鋭角を使用する結果として、耳への損傷のリスクを伴うということが知られている。
【図面の簡単な説明】
【００１７】
【図１】本発明に係る掃除綿棒の縦断面図である。
【図２】本発明に係る掃除綿棒の他の好ましい形態の縦断面図である。
【図３】本発明に係る掃除綿棒のさらに異なる他の好ましい形態の縦断面図である。
【図４】図４（ａ）は、横断面図で、図１〜図３に示す掃除綿棒の凹部に形成した切断側面の好ましい形態を示し、図４（ｂ）は、出発部材の細長い切れを、図１〜図３の掃除綿棒の軸のように巻く方法を示す。
【図５】図５は、本発明に係る停止面を有する掃除綿棒の概略図である。
【図６】図６は、本発明に係る他の形態の停止面を有する掃除綿棒の概略図である。
【図７】図７は、本発明に係る他の形態の停止面を有する掃除綿棒の概略図である
【図８】図８は、本発明に係る他の形態の停止面を有する掃除綿棒の概略図である
【図９】図９は、本発明に係る他の形態の停止面を有する掃除綿棒の概略図である
【発明を実施するための形態】
【００１８】
本発明を、図面を参照しながら、より詳細に説明する。
【００１９】
図１は、好適な接着剤でそれぞれの先端が連結されているチューブ状のセグメント２、３の２つの軸セグメントで構成されている軸部を有する掃除綿棒１を示す。軸セグメント３は使用時に耳のより深い位置に挿入されるので、軸セグメント３は、軸セグメント２よりも柔らかい素材で形成されており、耳への損傷が防止されるはずである。さらなる安全のために、軸セグメント３の先端は丸い部分Ｒを有している。脱脂綿のたまご型の肥厚部４は、掃除綿棒１の図示される端部の周りに、例えば好適な接着剤によってそれに接着されることによって、設けられている。図１に示すように、吸収材は、軸セグメント２、３の中の内部チャンネル７によって形成される凹部６の先端部５を被覆し、そして前記凹部６の内部まで吸収材が設けられている。
【００２０】
図２は図１に対応する図であり、図１に示す部品に対応する部品は、同じ符号によって示される。図２は、軸セグメント３の一部分が軸セグメント２に移動し重なり、好ましくは、好適な接着剤によって軸セグメント３が軸セグメント２に連結される様子を示す図である。
【００２１】
図３は図２に対応する図であり、図２に示す部品に対応する部品は、同じ符号によって示される。この実施形態においては、軸セグメント２は、中空ではない中身が詰まったセグメントであり、したがって、この実施形態では内部チャンネル７を有していない。
【００２２】
図１、図２、または図３のいずれかの掃除綿棒を外耳道に押し込み、そしてそれを回転させることを交互に行うことによって、耳垢を凹部６に効果的に移動させることができ、さらに、凹部６の先端部５が吸収材で被覆されることで、外耳道の損傷が防止される。
【００２３】
図４（ａ）は横断面図で、図１、図２、あるいは図３に示す耳掃除綿棒の凹部６中に形成することができる切断側面８を示す。切断側面８は、例えば、図４（ａ）に示すように十字型の形状の細糸状で、前記凹部６中の凹部６の壁に、例えば好適な接着剤を塗布することによって、あるいは、局所的に穴や切り込みを設けることによって連結されている。この結果、特定の切断動作あるいは剥離動作を実行することによって、耳垢が外耳道から凹部６に移動され、除去される。
【００２４】
図４（ｂ）に示される耳掃除綿棒１の軸部は、出発部材の細長い切れで形成されており、この細長い切れは、細長い切れの長手方向の端部付近に、この例においては例えばミシン目の弱くなっている部分が設けられている。２つの軸セグメント２、３から成る軸部は、その後、前記細長い切れを巻き上げることによって形成される。軸セグメント３は、ミシン目の存在のために、軸セグメント２よりもより容易に変形する。
【００２５】
図５〜図９は、種々のタイプの停止面９を有する耳掃除綿棒１の種々の図面を示す。なお、図５〜図９は、掃除綿棒１自体は、前記図面をいたずらに複雑にしないように、詳細に図示しない。停止面９は、耳掃除綿棒１が耳の（奥）深くに挿入されすぎることを防止するために機能する。停止面９は、弓形のもの１０、しなやかな環状のもの１１、そして円盤１２のように、図５、図６、及び図７にそれぞれ概略斜視図で示される。そして、好ましくは、３つの場合全てにおいて、停止面９は取り外し可能であり、特に耳掃除綿棒１の軸部にスナップ連結されている。図８は、２つのチップを有する耳掃除綿棒１に関する。すなわち、凹部６と、両端部にコットンから成る肥厚部４とを具備し、コットンは凹部６の先端部５を被覆する耳掃除綿棒１である。この図において、停止面(stops)９は、取り外し可能なウィング１３のように概略斜視図で示される。なお、この実施形態でもまた、ウィング１３は、耳掃除綿棒１の軸部に、特にスナップ連結されている。図９は、停止面９として機能する円形の外周の部品１５を有する３つの耳掃除綿棒１が取り付けられた円形のホルダー１４の概略正面図を示す。
【００２６】
本発明は、ここに示した実施形態に限定されるものではなく、従属クレームの範囲の中にある他の好ましい変形例にまで及ばせることができるということが知られている。
【００２７】
スナップ連結が形成される方向の配向は、図面に示されるような配向に限定されるものではない。さらに、停止面９は、水平方向で所望の角度、すなわち０〜３６０°の間の角度を含んでも良い。
【符号の説明】
【００２８】
１      耳掃除綿棒
２，３  軸セグメント
４      肥厚部
６      凹部
７      内部チャンネル
９      停止面
【図１】
2009542309.tif 000003
【図２】
2009542309.tif 000004
【図３】
2009542309.tif 000005
【図４】
2009542309.tif 000006
【図５】
2009542309.tif 000007
【図６】
2009542309.tif 000008
【図７】
2009542309.tif 000009
【図８】
2009542309.tif 000010
【図９】
2009542309.tif 000011
【国際調査報告】
2009542309.tif 000012
2009542309.tif 000013
2009542309.tif 000014